(57)【要約】【課題】画像の内容を容易に確認することが可能な画像処理装置を提供する。【解決手段】ユーザに注目される領域を表す複数の注目領域を画像から検出する検出手段（注目領域検出モジュール６２）と、検出手段によって検出された複数の注目領域に基づいてサムネイル画像を生成する生成手段（注目領域抽出モジュール６３、サムネイル画像生成モジュール６４）と、複数の注目領域が所定の順序で表示されるか、または、複数の注目領域が所定の位置関係で表示されるようにサムネイル画像を表示する表示手段（表示モジュール６７）と、を有することを特徴とする。【選択図】図２
2009055272.tif 000002
【特許請求の範囲】
【請求項１】
ユーザに注目される領域を表す複数の注目領域を画像から検出する検出手段と、
前記検出手段によって検出された前記複数の注目領域に基づいてサムネイル画像を生成
する生成手段と、
前記複数の注目領域が所定の順序で表示されるか、または、前記複数の注目領域が所定
の位置関係で表示されるように前記サムネイル画像を表示する表示手段と、
を有することを特徴とする画像処理装置。
【請求項２】
請求項１に記載の画像処理装置において、
前記注目領域の注目度を算出する算出手段を有し、
前記生成手段は、一つの前記注目領域から一つの前記サムネイル画像を生成し、
前記表示手段は、一つの前記画像に対する前記複数のサムネイル画像を、前記算出手段
によって算出された注目度に応じた順序で表示する、
ことを特徴とする画像処理装置。
【請求項３】
請求項１に記載の画像処理装置において、
前記注目領域の注目度を算出する算出手段を有し、
前記生成手段は、一つの前記注目領域から一つの前記サムネイル画像を生成し、
前記表示手段は、一つの前記画像に対する前記複数のサムネイル画像を、相互に重複し
ないように、かつ、前記画像中における前記注目領域の位置関係に対応する位置関係で、
かつ、前記算出手段によって算出された注目度に応じた大きさで表示する、
ことを特徴とする画像処理装置。
【請求項４】
請求項１に記載の画像処理装置において、
前記生成手段は、前記画像に含まれる前記複数の注目領域を合成して一つの前記サムネ
イル画像を生成する、
ことを特徴とする画像処理装置。
【請求項５】
請求項４に記載の画像処理装置において、
前記注目領域の注目度を算出する算出手段を有し、
前記生成手段は、前記注目領域が前記注目度に応じた大きさとなるように前記複数の注
目領域を合成して一つの前記サムネイル画像を生成する、
ことを特徴とする画像処理装置。
【請求項６】
請求項１に記載の画像処理装置において、
前記注目領域と、ユーザによって表示対象から除外された注目領域との類似性を判定す
る判定手段を有し、
前記ユーザによって表示対象から除外された注目領域に類似すると判定された注目領域
については、前記生成手段がサムネイル画像の生成対象から除外するか、または、前記表
示手段が表示対象から除外する、
ことを特徴とする画像処理装置。
【請求項７】
ユーザに注目される領域を表す複数の注目領域を画像から検出し、
前記検出された前記複数の注目領域に基づいてサムネイル画像を生成し、
前記複数の注目領域が所定の順序で表示されるか、または、前記複数の注目領域が所定
の位置関係で表示されるように前記サムネイル画像を表示する、
ことを特徴とする画像処理方法。
【請求項８】
ユーザに注目される領域を表す複数の注目領域を画像から検出する検出手段、
前記検出手段によって検出された前記複数の注目領域に基づいてサムネイル画像を生成
する生成手段、
前記複数の注目領域が所定の順序で表示されるか、または、前記複数の注目領域が所定
の位置関係で表示されるように前記サムネイル画像を表示させる表示制御手段、
としてコンピュータを機能させるコンピュータ読み取り可能な画像処理プログラム。
【発明の詳細な説明】
【技術分野】
【０００１】
本発明は、画像処理装置、画像処理方法、および、画像処理プログラムに関する。
【背景技術】
【０００２】
プリンタ、ディジタルカメラ、および、携帯電話機のように、小型の表示デバイスを有
する装置で画像を扱う場合、表示デバイスの画面サイズが小さいことから、画像の詳細を
確認することが困難であるという問題点がある。
そこで、特許文献１に示すように、原画像から縦方向または横方向に切り出した画像の
一部を表示し、ユーザに所望の画像を選択させる技術が提案されている。
また、特許文献２に示すように、原画像から特定領域を切り出してサムネイル画像を生
成することにより、画像の拡大・縮小率の影響を抑えつつ原画像と同じレベルの視認性を
確保する技術が提案されている。
【特許文献１】特開２００７−１３３０６３号公報
【特許文献２】特開２００１−１２８１０９号公報
【発明の開示】
【発明が解決しようとする課題】
【０００３】
しかしながら、特許文献１に開示される技術では、画像の内容とは無関係に原画像の一
部が切り出されるため、画像を選択する際に、十分な情報が得られない可能性があるとい
う問題点がある。
また、特許文献２に開示される技術では、例えば、集合写真のように特定領域となる対
象が複数存在する場合には、十分な情報が得られず、技術自体の有効性が低下するという
問題点がある。
【０００４】
本発明は、上述した事情に鑑みてなされたものであり、画像の内容を容易に確認するこ
とが可能な画像処理装置、画像処理方法、および、画像処理プログラムを提供することを
目的とする。
【課題を解決するための手段】
【０００５】
上記目的を達成するために、本発明は、ユーザに注目される領域を表す複数の注目領域
を画像から検出する検出手段と、前記検出手段によって検出された前記複数の注目領域に
基づいてサムネイル画像を生成する生成手段と、前記複数の注目領域が所定の順序で表示
されるか、または、前記複数の注目領域が所定の位置関係で表示されるように前記サムネ
イル画像を表示する表示手段と、を有することを特徴とする。
この構成によれば、画像中の複数の注目領域を所定の順序または位置関係にて表示する
。このため、複数の注目領域を有する画像の内容を容易に確認することができる。
【０００６】
また、本発明は、上記発明において、前記注目領域の注目度を算出する算出手段を有し
、前記生成手段は、一つの前記注目領域から一つの前記サムネイル画像を生成し、前記表
示手段は、一つの前記画像に対する前記複数のサムネイル画像を、前記算出手段によって
算出された注目度に応じた順序で表示することを特徴とする。
この構成によれば、注目領域毎に一つのサムネイル画像を生成し、注目度に応じた順番
で表示する。このため、複数の画像に対応するサムネイル画像を一覧表示する場合であっ
ても、それぞれの表示領域が重ならないため、所望の画像を容易に見つけることが可能に
なるとともに、例えば、注目度が高い順にサムネイル画像を表示することにより、所望の
画像を迅速に見つけることが可能になる。
【０００７】
また、本発明は、上記発明において、前記注目領域の注目度を算出する算出手段を有し
、前記生成手段は、一つの前記注目領域から一つの前記サムネイル画像を生成し、前記表
示手段は、一つの前記画像に対する前記複数のサムネイル画像を、相互に重複しないよう
に、かつ、前記画像中における前記注目領域の位置関係に対応する位置関係で、かつ、前
記算出手段によって算出された注目度に応じた大きさで表示することを特徴とする。
この構成によれば、注目領域毎に一つのサムネイル画像を生成し、画像中における注目
領域の注目度に応じた大きさで相互に重ならないように同一画面上に注目領域の位置関係
に対応する位置関係で表示する。このため、一つの画像に対するサムネイル画像を同時に
見ることができるので、所望の画像を迅速に見つけることが可能になるとともに、例えば
、注目度が高いサムネイル画像を大きく表示すれば、目的とする注目領域を容易に把握す
ることができる。
【０００８】
また、本発明は、上記発明において、前記生成手段は、前記画像に含まれる前記複数の
注目領域を合成して一つの前記サムネイル画像を生成することを特徴とする。
この構成によれば、一つの画像に含まれる複数の注目領域から一つのサムネイル画像を
生成して表示する。このため、サムネイル画像の数を減らすことにより、サムネイル画像
を記憶する記憶領域の容量を削減することができる。
【０００９】
また、本発明は、上記発明において、前記注目領域の注目度を算出する算出手段を有し
、前記生成手段は、前記注目領域が前記注目度に応じた大きさとなるように前記複数の注
目領域を合成して一つの前記サムネイル画像を生成することを特徴とする。
この構成によれば、一つの画像に含まれる複数の注目領域をその注目度に応じた大きさ
にて一つのサムネイル画像を合成して表示する。このため、サムネイル画像の数を減らす
ことにより、サムネイル画像を記憶する記憶領域の容量を削減することができるとともに
、例えば、注目度が高い注目領域を大きなサイズで表示すれば、所望の画像を迅速に見つ
けることが可能になる。
【００１０】
また、本発明は、上記発明において、前記注目領域と、ユーザによって表示対象から除
外された注目領域との類似性を判定する判定手段を有し、前記ユーザによって表示対象か
ら除外された注目領域に類似すると判定された注目領域については、前記生成手段がサム
ネイル画像の生成対象から除外するか、または、前記表示手段が表示対象から除外するこ
とを特徴とする。
この構成によれば、表示対象から除外された注目領域に類似する注目領域についてはサ
ムネイル画像の生成対象から除外されるか、または、表示対象から除外される。この結果
、ユーザによって表示対象から除外された必要性が低い注目領域についてはサムネイル画
像の作成対象、または、表示対象から除外することにより所望の画像を迅速に見つけるこ
とができる。また、サムネイル画像の数を減らすことにより、サムネイル画像を記憶する
記憶領域の容量を削減することができる。
【００１１】
また、本発明は、ユーザに注目される領域を表す複数の注目領域を画像から検出し、前
記検出された前記複数の注目領域に基づいてサムネイル画像を生成し、前記複数の注目領
域が所定の順序で表示されるか、または、前記複数の注目領域が所定の位置関係で表示さ
れるように前記サムネイル画像を表示することを特徴とする。
この構成によれば、画像中の複数の注目領域を所定の順序または位置関係にて表示する
。このため、複数の注目領域を有する画像の内容を容易に確認することができる。
【００１２】
また、本発明は、ユーザに注目される領域を表す複数の注目領域を画像から検出する検
出手段、前記検出手段によって検出された前記複数の注目領域に基づいてサムネイル画像
を生成する生成手段、前記複数の注目領域が所定の順序で表示されるか、または、前記複
数の注目領域が所定の位置関係で表示されるように前記サムネイル画像を表示させる表示
制御手段、としてコンピュータを機能させる。
この構成によれば、画像中の複数の注目領域を所定の順序または位置関係にて表示する
。このため、複数の注目領域を有する画像の内容を容易に確認することができる。
【発明を実施するための最良の形態】
【００１３】
以下、図面を参照して本発明の実施形態について説明する。なお、以下では、本発明の
画像処理装置を印刷装置として実施した場合を例に挙げて説明する。また、本発明の画像
処理方法および画像処理プログラムは、印刷装置の動作および印刷装置を制御するプログ
ラムとして説明する。
【００１４】
（Ａ）実施の形態の構成の説明
図１は、本発明を適用した実施形態に係る印刷装置の概略構成を示す図である。図１に
示すように、印刷装置１０は、ＣＰＵ（Central Processing Unit）１１、ＲＯＭ（Read 
Only Memory）１２、ＥＥＰＲＯＭ（Electrically Erasable and Programmable ROM）１
３、ＲＡＭ（Random Access Memory）１４、画像処理部１５、Ｉ／Ｆ（Interface）１６
、バス１７、ＬＣＤ１８、操作ボタン１９、カードＩ／Ｆ回路２０、メモリカードＭが挿
入されるカードスロット２１、プリンタエンジンコントローラ２２を有している。また、
この例では、ディジタルカメラ４０が接続ケーブル４１によって接続可能とされている。
【００１５】
ここで、ＣＰＵ１１は、ＲＯＭ１２に格納されているプログラム１２ａに応じて各種演
算処理を実行するとともに、装置の各部を制御する。ＲＯＭ１２は、ＣＰＵ１１が実行す
るプログラム１２ａおよびその他のデータを格納している半導体メモリである。ＲＡＭ１
４は、ＣＰＵ１１が実行対象とするプログラムやデータを一時的に格納する半導体メモリ
である。ＥＥＰＲＯＭ１３は、ＣＰＵ１１における演算処理結果の所定のデータ等が格納
され、印刷装置の電源が切断された後もこのデータを保持することが可能な不揮発性の半
導体メモリである。画像処理部１５は、ＣＰＵ１１から供給された描画命令に基づいて描
画処理を実行し、得られた画像データをＬＣＤ１８に供給して表示させる。Ｉ／Ｆ１６は
、操作ボタン１９、カードＩ／Ｆ回路２０、プリンタエンジンコントローラ２２、および
、ディジタルカメラ４０の間で情報を授受する際に、データの表現形式を適宜変換する装
置である。バス１７は、ＣＰＵ１１、ＲＯＭ１２、ＥＥＰＲＯＭ１３、ＲＡＭ１４、画像
処理部１５、および、Ｉ／Ｆ１６、を相互に接続し、これらの間で情報の授受を可能とす
るための信号線群である。
【００１６】
操作ボタン１９は、ユーザの操作に応じた所定の情報を生成して出力する。メモリカー
ドＭは、例えば、ディジタルカメラ等によって撮像された画像データ（静止画）が格納さ
れている不揮発メモリである。カードスロット２１は、印刷装置１０の筐体の一部に設け
られており、この部分にメモリカードＭが挿入される。カードＩ／Ｆ回路２０は、メモリ
カードＭに情報を書き込んだり、メモリカードＭから情報を読み出したりするためのイン
タフェースである。プリンタエンジンコントローラ２２はプリンタ制御するための制御部
である。
【００１７】
ディジタルカメラ４０は、被写体の光画像を対応する画像に変換し、図示せぬ不揮発性
メモリに格納するとともに、接続ケーブル４１によって印刷装置１０に接続された場合に
は、不揮発性メモリに格納されている画像を印刷装置１０に供給する。接続ケーブル４１
は、例えば、ＵＳＢ（Universal Serial Bus）ケーブルによって構成され、ＵＳＢ規格に
基づいた信号を、ディジタルカメラ４０からＩ／Ｆ１６に伝送する。
【００１８】
つぎに、図２を参照して、図１に示すＲＯＭ１２に格納されているプログラム１２ａが
実行されることにより、ソフトウエアとしてのプログラム１２ａと、ハードウエアとして
のＣＰＵ１１その他が協働することにより実現される機能ブロック群について説明する。
図２に示すように、プログラム１２ａが実行されることにより実現される機能ブロック群
６０としては、画像入力モジュール６１、注目領域検出モジュール６２（請求項中「検出
手段」に対応）、注目領域抽出モジュール６３（請求項中「生成手段」に対応）、サムネ
イル画像生成モジュール６４（請求項中「生成手段」に対応）、中央制御モジュール６５
（請求項中「算出手段」および「判定手段」に対応）、操作情報入力モジュール６６、お
よび、表示モジュール６７が主に存在する。
ここで、画像入力モジュール６１は、メモリカードＭまたはディジタルカメラ４０から
画像を入力する処理を実行する。注目領域検出モジュール６２は、画像の内容を判断する
際にユーザに注目される領域としての注目領域を検出する。なお、注目領域の詳細につい
ては後述する。注目領域抽出モジュール６３は、注目領域検出モジュール６２によって検
出された注目領域を原画像から抽出する。サムネイル画像生成モジュール６４は、注目領
域抽出モジュール６３によって抽出された注目領域に基づいてサムネイル画像を生成する
。中央制御モジュール６５は、処理の中核となるモジュールであり、一連の処理が適切に
実行されるように他のモジュールを制御する。操作情報入力モジュール６６は、操作ボタ
ン１９が操作されて生成された情報を入力する。表示モジュール６７は、サムネイル画像
生成モジュール６４によって生成されたサムネイル画像をＬＣＤ１８に表示する。
【００１９】
（Ｂ）実施の形態の動作の概要説明
つぎに、本実施の形態の動作の概要について説明する。本実施の形態では、メモリカー
ドＭがカードスロット２１に挿入され、または、ディジタルカメラ４０が接続ケーブル４
１によってＩ／Ｆ１６に接続されると、メモリカードＭまたはディジタルカメラ４０に格
納されている画像が読み出され、それぞれの画像の注目領域が検出される。一例として、
図３に示す２人の人物８１，８２を被写体とする画像８０では、人物８１，８２の顔が注
目領域８３，８４とされ、これらの注目領域８３，８４から注目領域のサムネイル画像（
以下、単に「注目領域サムネイル画像」と称する）８６，８７が生成される。また、この
とき、画像８０からは全体像のサムネイル画像（以下、単に「全体像サムネイル画像」と
称する）８５が生成される。そして、このような全体像サムネイル画像８５と、注目領域
サムネイル画像８６，８７とは原画像８０と対応付けされてＲＡＭ１４に格納される。
【００２０】
つづいて、全体像サムネイル画像をＬＣＤ１８に一覧表示する指示が操作ボタン１９を
操作することによってなされると、所定数（例えば、９枚）の全体像サムネイル画像がＲ
ＡＭ１４から取得され、表示モジュール６７に供給される。この結果、ＬＣＤ１８には、
図４に示すような情報が表示される。この例では、画面１００には９枚の全体像サムネイ
ル画像１０２〜１１０と、それぞれの画像のファイル名１１１〜１１９が表示されている
。このような画面１００を参照して、例えば、全体像サムネイル画像１０５を詳細表示す
るための操作がなされると、図５に示すように、全体像サムネイル画像１０５以外の全て
の全体像サムネイル画像１０２〜１０４，１０６〜１１０がグレイアウト状態となり（灰
色表示された状態となり）、選択不能の状態になる。そして、選択した全体像サムネイル
画像１０５に対する注目領域サムネイル画像を表示するための操作が操作ボタン１９に対
してなされると、図６に示すように、全体像サムネイル画像１０５の右側に注目領域サム
ネイル画像８６が表示される。つづいて、操作ボタン１９の同じボタンが再度操作される
と、図７に示すように、全体像サムネイル画像１０５の右側に注目領域サムネイル画像８
７が注目領域サムネイル画像８６に換えて表示される。このような表示は、操作ボタン１
９が操作される度に繰り返される。したがって、ユーザは、全体像サムネイル画像１０５
の画像８０に含まれている注目領域８３，８４を、全体像サムネイル画像１０５よりも注
目領域が大きい注目領域サムネイル画像８６、８７によって確認することができるので、
ＬＣＤ１８の表示サイズが小さい場合であっても、画像の内容を的確に確認することがで
きる。
【００２１】
（Ｃ）実施の形態の動作の詳細説明
つぎに、本発明の実施の形態の動作について詳細に説明する。図８は、図２に示す機能
ブロックにより実行される処理を説明するフローチャートである。この処理は、画像が格
納されたメモリカードＭがカードスロット２１に挿入されるか、または、ディジタルカメ
ラ４０が接続ケーブル４１によってＩ／Ｆ１６に接続された場合に実行される。
なお、これらの行為をトリガとして直ちに処理を実行するのではなく、ユーザから指示
がなされた場合に処理を実行したり、印刷装置１０のＣＰＵ１１の稼働率を参照し、稼働
率が低い場合に以下の処理を実行するようにしたりしてもよい。また、以下の処理を実行
中において、印刷処理が実行された場合には処理を一旦中断し、印刷処理を優先して実行
するようにしてもよい。
図８に示す処理が実行されると、まず、中央制御モジュール６５は、画像入力モジュー
ル６１に対して、１枚の画像を読み込むように指示する。この結果、画像入力モジュール
６１は、メモリカードＭまたはディジタルカメラ４０から、所定の読み込み単位（例えば
、メモリカードＭのデータの読み込み単位）で画像を読み込みＲＡＭ１４に格納する（ス
テップＳ１０）。
【００２２】
つづいて、中央制御モジュール６５は、サムネイル画像生成モジュール６４に対して、
ステップＳ１０で読み込んだ画像のサムネイル画像（全体像サムネイル画像）を生成する
ように指示する。その結果、サムネイル画像生成モジュール６４は、ＲＡＭ１４に格納さ
れている画像を取得し、取得した画像を所定の間隔で間引きし、全体像サムネイル画像を
生成する（ステップＳ１１）。なお、サムネイル画像のサイズとしては、例えば、１６０
×１２０画素とすることができる。このようにして生成された全体像サムネイル画像は、
例えば、所定のファイル名が付与され、ＲＡＭ１４に格納される。ファイル名としては、
原画像のファイル名の末尾に全体像サムネイル画像を示す「−００」を付与する。より詳
細には、原画像のファイル名が「Ｐ０１００１」である場合には、全体像サムネイル画像
のファイル名は「Ｐ０１００１−００」となる。なお、例えば、ＥＸＩＦ（Exchangeable
Image File Format）形式の画像ファイルのように画像ファイルがもともとサムネイル画
像を有している場合には、全体像サムネイル画像を生成する処理を実行せずに、画像ファ
イルがもともと有しているサムネイル画像を全体像サムネイル画像として使用するように
してもよい。
【００２３】
つづいて、中央制御モジュール６５は、注目領域検出モジュール６２に対して、ＲＡＭ
１４に格納されている対象となる画像から注目領域を検出するように指示する。その結果
、注目領域検出モジュール６２は、ＲＡＭ１４から画像を取得し、画像中に含まれている
注目領域を検出する（ステップＳ１２）。
ここで、注目領域を検出する方法としては、例えば、「特開２００１−１２６０７０号
公報（注目領域抽出装置およびそれを用いた自動構図決定装置）に詳細に開示されている
「誘目度」を利用することができる。
【００２４】
注目領域の検出が完了すると、中央制御モジュール６５は、注目領域抽出モジュール６
３に対して、ステップＳ１２で検出された注目領域を抽出するように指示する。この結果
、注目領域抽出モジュール６３は、注目領域に含まれる画像を抽出し（切り出し）、中央
制御モジュール６５に供給する（ステップＳ１３）。図３の例では、注目領域８３，８４
が画像８０から抽出され、中央制御モジュール６５に供給される。
つづいて、中央制御モジュール６５は、抽出された注目領域の画像を、サムネイル画像
生成モジュール６４に供給し、注目領域サムネイル画像を生成するように指示をする。そ
の結果、サムネイル画像生成モジュール６４は、供給された注目領域の画像が所定のサイ
ズ（例えば、１６０×１２０画素）になるように調整するとともに、所定のファイル名を
付与して注目領域サムネイル画像ファイルを生成する（ステップＳ１４）。ファイル名と
しては、例えば、原画像のファイル名の末尾に注目領域サムネイル画像の枚数を示す「−
ｘｘ」（ｘｘは枚数を示す）を付与する。より詳細には、原画像のファイル名が「Ｐ０１
００１」である場合、１枚目の注目領域サムネイル画像のファイル名は「Ｐ０１００１−
０１」となり、２枚目の注目領域サムネイル画像のファイル名は「Ｐ０１００１−０２」
となる。なお、注目領域サムネイル画像のサイズは、全体像サムネイル画像と同じであっ
ても、異なっていてもよい。例えば、大きいサイズに設定すれば、注目領域を高い解像度
で確認することができる。また、小さいサイズに設定すれば、データ量を削減することが
できる。
【００２５】
つづいて、中央制御モジュール６５は、原画像と、全体像サムネイル画像と、注目領域
サムネイル画像とを対応付けするための情報（関連づけ情報）を生成し、ＲＡＭ１４にテ
ーブルとして格納する（ステップＳ１５）。図９は、ステップＳ１５の処理により生成さ
れるテーブルの一例を示す図である。この例では、原画像ファイル名と、全体像サムネイ
ル画像ファイル名と、複数の注目領域サムネイル画像ファイル名とが対応付けされて格納
されている。例えば、１番目のレコード（行）には、原画像ファイル名として「Ｐ０１０
０１」が格納され、全体像サムネイル画像ファイル名として「Ｐ０１００１−００」が格
納され、注目領域サムネイル画像ファイル名として「Ｐ０１００１−０１」〜「Ｐ０１０
０１−０４」が対応付けされて格納されている。なお、この例では、４種類の注目領域サ
ムネイル画像ファイル名が格納されているが、本発明は４種類には限定されない。
そして、中央制御モジュール６５は、メモリカードＭまたはディジタルカメラ４０に格
納されている全ての画像に対する処理が完了したか否かを判定し（ステップＳ１６）、完
了していない場合（ステップＳ１６；Ｎｏ）にはステップＳ１０に戻って前述の場合と同
様の処理を繰り返し、それ以外の場合（ステップＳ１６；Ｙｅｓ）には処理を終了する。
以上の処理により、メモリカードＭまたはディジタルカメラ４０に格納されている画像
が読み込まれて、全体像サムネイル画像が生成されてＲＡＭ１４に格納されるとともに、
画像から注目領域が抽出されて注目領域サムネイル画像が生成されＲＡＭ１４に格納され
る。さらに、原画像と全体像サムネイル画像と注目領域サムネイル画像とを対応付けする
ためのテーブルが生成されてＲＡＭ１４に格納される。
なお、これらの情報をＥＥＰＲＯＭ１３、ディジタルカメラ４０、または、メモリカー
ドＭに記憶するようにしてもよい。そのような方法によれば、印刷装置１０の電源がオフ
にされた場合でも、これらの情報を保持できることから、一旦これらの情報を生成した後
は、同情報を繰り返し使用することができる。すなわち、同一の画像に対して図８に示す
処理を繰り返し実行する必要がない。
【００２６】
つぎに、図１０を参照して、以上のようにして生成された全体像サムネイル画像および
注目領域サムネイル画像（以下、これらを総称して単に「サムネイル画像」と称する）を
用いて画像の一覧表示を行う場合の動作について説明する。図１０に示す処理は、図８に
示す処理によりサムネイル画像が生成された後に、ユーザによってサムネイル画像の一覧
表示を行う要求が操作ボタン１９を操作することによってなされた場合に実行される。
この処理が実行されると、まず、中央制御モジュール６５は、ＲＡＭ１４に格納されて
いる全体像サムネイル画像を所定数（例えば、９つ）読み出すとともに、それぞれの画像
のファイル名を示す情報を表示モジュール６７に供給する。表示モジュール６７は、供給
された全体像サムネイル画像を所定の間隔で配置して描画処理するとともに、それぞれの
画像のファイル名を画像に対応付けして描画処理する。その結果、ＬＣＤ１８には、図４
に示すような情報が表示される。この例では、画面１００の最上部にはタイトル１０１と
しての「画像一覧表示画面」が表示され、その下には全体像サムネイル画像１０２〜１１
０が表示され、それぞれの全体像サムネイル画像１０２〜１０７の下にはファイル名１１
１〜１１９が表示されている。なお、図４に示す表示状態において、操作ボタン１９の不
図示のカーソルボタンが操作された場合には、一覧表示される全体像サムネイル画像が変
化し、次または前の一群の全体像サムネイル画像が表示される。
このような画面を参照し、ユーザが操作ボタン１９を操作して、所定の全体像サムネイ
ル画像の細部を確認する指示を行ったとする（例えば、不図示のカーソルボタンを操作し
て不図示のカーソルを所望の全体像サムネイル画像上に移動させた後、不図示の選択ボタ
ンを操作したとする）と、中央制御モジュール６５は、操作情報入力モジュール６６から
の情報により、細部確認指示がなされたと判定し（ステップＳ３１；Ｙｅｓ）、ステップ
Ｓ３２に進み、それ以外の場合には指示がされていないと判定し（ステップＳ３１；Ｎｏ
）、ステップＳ３０に戻って同様の処理を繰り返す。具体的には、図４に示す画面におい
て、全体像サムネイル画像１０５に対して細部確認指示がなされた場合にはステップＳ３
２に進む。
【００２７】
細部確認指示がなされたと判定すると、中央制御モジュール６５は、表示モジュール６
７に対してステップＳ３１において指定された全体像サムネイル画像以外のサムネイル画
像（非指定のサムネイル画像）をグレイアウトするように指示する。表示モジュール６７
は、非指定のサムネイル画像に対して、例えば、ハッチング画像を重畳する処理を実行す
る。また、これと並行して、中央制御モジュール６５は、非指定のサムネイル画像に対す
る操作を無効化する。より具体的には、全体像サムネイル画像１０５が指定された場合に
は、図５に示すように全体像サムネイル画像１０２〜１０４，１０６〜１１０がグレイア
ウトするとともに、これらに対する操作が無効となる。
【００２８】
中央制御モジュール６５は、ステップＳ３１において指示された全体像サムネイル画像
に対応する注目領域サムネイル画像のひとつをＲＡＭ１４から取得し、表示モジュール６
７に供給して表示させる（ステップＳ３４）。より詳細には、中央制御モジュール６５は
、図９に示すテーブルから、指定された画像に対応する注目領域サムネイル画像のファイ
ル名を取得し、このファイル名に基づいて、ＲＡＭ１４から該当する注目領域サムネイル
画像ファイルを取得する。そして、取得した注目領域サムネイル画像ファイルを表示モジ
ュール６７に供給し、指示された全体像サムネイル画像の近傍に表示する。その結果、図
６に示すような情報がＬＣＤ１８の画面に表示される。この例では、全体像サムネイル画
像１０５が選択されているので、全体像サムネイル画像１０５に対応する１枚目の注目領
域サムネイル画像８６が表示されている。
【００２９】
つづいて、中央制御モジュール６５は、操作ボタン１９が操作されて、次の注目領域サ
ムネイル画像を表示する指示がなされたか否かを判定し（ステップＳ３５）、指示がなさ
れた場合（ステップＳ３５；Ｙｅｓ）にはステップＳ３４に戻って前述の場合と同様の処
理を実行し、それ以外の場合（ステップＳ３５；Ｎｏ）にはステップＳ３６に進む。例え
ば、操作ボタン１９のカーソルボタン（不図示）が操作されて、次を表示する指示がなさ
れた場合にはステップＳ３４に戻り、図７に示すように次の注目領域サムネイル画像８７
が表示される。この図７の例では、注目領域サムネイル画像８７が注目領域サムネイル画
像８６に換えて表示されている。なお、次を表示する指示が連続してなされた場合には、
ステップＳ３４，Ｓ３５の処理の繰り返しにより、注目領域サムネイル画像がテーブルに
格納されている順番に繰り返し表示されることになる。
【００３０】
つづいて、中央制御モジュール６５は、一覧に戻るか否かを判定する（ステップＳ３６
）。例えば、操作情報入力モジュール６６の出力を参照し、中央制御モジュール６５が所
定のボタンが操作されたことから、一覧に戻ると判定した場合（ステップＳ３６；Ｙｅｓ
）は、ステップＳ３０に戻り、例えば、図４に示す一覧画面を表示する。また、一覧に戻
らないと判定した場合（ステップＳ３６；Ｎｏ）は、ステップＳ３７に進む。
つぎに、中央制御モジュール６５は、印刷指示がなされたか否かを判定する（ステップ
Ｓ３７）。例えば、所定のボタンが操作されたことから、印刷指示がなされたと判定した
場合（ステップＳ３７；Ｙｅｓ）は、ステップＳ３８に進んで印刷処理を実行する。また
、印刷指示がされていないと判定した場合（ステップＳ３７；Ｎｏ）は、ステップＳ３５
に戻って前述の場合と同様の処理を繰り返す。例えば、図６または図７に示す状態におい
て、印刷を指示するボタンが操作された場合にはステップＳ３８に進む。
【００３１】
印刷が指示された場合、中央制御モジュール６５は、その時点において、選択されてい
る画像の原画像ファイル名を図９に示すテーブルから取得し、該当する画像ファイルをメ
モリカードＭまたはディジタルカメラ４０から取得する。そして、取得した画像ファイル
に対して復号処理を施すとともに、ハーフトーン処理その他を施し、得られたデータをＩ
／Ｆ１６を介してプリンタエンジンコントローラ２２に供給する。プリンタエンジンコン
トローラ２２は、供給されたデータに基づいて、プリンタを制御し、画像を図示せぬ印刷
用紙に対して印刷する。これにより、指定された画像が印刷用紙上に、例えば、カラー画
像として印刷される。
つづいて、中央制御モジュール６５は、処理を終了するか否かを判定し（ステップＳ３
９）、終了しないと判定した場合（ステップＳ３９；Ｎｏ）にはステップＳ３０に戻って
、前述の場合と同様の処理を繰り返し、それ以外の場合（ステップＳ３９；Ｙｅｓ）には
処理を終了する。
【００３２】
以上の実施の形態によれば、メモリカードＭまたはディジタルカメラ４０に格納されて
いる画像の全体像サムネイル画像をＬＣＤ１８に一覧表示し、所定の全体像サムネイル画
像が選択された場合には、対応する注目領域サムネイル画像が全体像サムネイルとほぼ同
じサイズで順番に表示される。これにより、例えば、集合写真に写っている個々の人物を
注目領域サムネイル画像として表示することにより、目的の人物が写っているかを確認し
た後に、印刷を行うことができる。これにより、ＬＣＤ１８の表示サイズが小さい場合で
あっても、画像の内容を的確に確認することができる。
【００３３】
また、以上の実施の形態では、画像から複数の注目領域を抽出してサムネイル画像を生
成し、これを順次表示するようにした。これにより、複数の注目領域に基づいて、所望の
画像であるか否かを的確に判断することができる。
【００３４】
また、以上の実施の形態によれば、ステップＳ３１において細部確認指示の対象となっ
ていない全体像サムネイル画像については、グレイアウトするようにしたので、対象とな
っている画像を明確に示すとともに、誤操作がなされることを防止できる。
【００３５】
（Ｄ）変形実施の態様
なお、上述した実施の形態は、あくまでも本発明の一態様を示すものであり、本発明の
範囲内で任意に変形および応用が可能であることは勿論である。
たとえば、以上の実施の形態では、注目領域サムネイル画像を、検出または抽出された
順番に表示するようにしたが、例えば、注目領域のそれぞれについて注目度を計算し、注
目度が高い順番に注目領域サムネイル画像を表示するようにしてもよい。例えば、図１１
に示すように、３人の人物２０１〜２０３が写っている画像において、それぞれの人物の
注目領域（顔の領域）２０４〜２０６のそれぞれについて注目度を計算する。具体的には
、画像の中央に存在し、また、注目領域の大きさが大きい人物（すなわち、大きく写って
いる人物）ほど注目度が高いと判定する。加えて、注目領域のピントが正確に合っている
ものほど注目度が高いと判定する。これら複数の要素に重み付けして加算したした結果を
注目度とし、注目度の大小に応じて注目領域の表示の順序を決定する。図１１の例では、
画像の中央に存在している人物２０２の注目度が“２０”と判定され、左端の人物２０１
の注目度が“５”と判定され、また、右端の人物２０３の注目度が“１０”と判定されて
いる。したがって、これらから生成される注目領域サムネイル画像２１１〜２１３は、注
目領域サムネイル画像２１２，２１３，２１１の順番で表示される。
このように、注目領域の注目度を計算し、計算結果に基づいた順番によって、注目領域
サムネイル画像を表示することにより、注目度が高い情報を優先して参照することができ
るので、目的の画像であるか否かを迅速に判断することができる。
なお、以上は、人物の場合を例に挙げて説明したが、その他の被写体（例えば、風景、
物等）の場合には、例えば、前述の場合のように、画像の中央に近いか否か、ピントが合
っているか否か、および／または、その面積等に応じて注目度を計算するようにすればよ
い。
【００３６】
また、以上の実施の形態では、指定された全体像サムネイル画像に対応する注目領域サ
ムネイル画像のみを、当該全体像サムネイル画像の近くに表示するようにしたが、例えば
、図１２に示すように、一覧表示されている全ての全体像サムネイル画像に対応する注目
領域サムネイル画像を、全体像サムネイル画像に換えて一覧表示するようにしてもよい。
図１２の例では、図４に示す画像の１枚目の注目領域サムネイル画像が一覧表示されてい
る。そして、このような画面が表示されている場合に、次の表示を指示する操作がユーザ
によってなされた場合には、次の注目領域サムネイル画像が表示される。そして、全ての
注目領域サムネイル画像の表示が終了した場合には、全体像サムネイル画像に戻って表示
を繰り返すか、または、最後の注目領域サムネイル画像を表示し続けるようにすればよい
。なお、表示する順番としては、検出または抽出がされた順番であっても、注目度に基づ
く順番であってもよい。そして、目的の画像が見つかった場合には、当該画像を選択し、
印刷の指示をすることで、印刷を行うことができる。このような方法によれば、全ての画
像の注目領域サムネイル画像を同時に見ることができるので、所望の画像をより迅速に見
つけることができる。
【００３７】
また、以上の実施の形態では、注目領域サムネイル画像を順番に一つずつ表示するよう
にしたが、例えば、図１３に示すように、細部確認指示がされた全体像サムネイル画像の
近くに、同時に表示するようにしてもよい。図１３の例では、全体像サムネイル画像１０
５の上側および右側に注目領域サムネイル画像８６，８７がそれぞれ表示されている。な
お、サムネイル画像の配置方法としては、対象となる全体像サムネイル画像と注目領域サ
ムネイル画像とが互いに重複しないように間隔を開けるとともに、各注目領域サムネイル
画像と全体像サムネイル画像とが相互に関連していることが理解できる配置であればよい
。このような表示方法によれば、対象となる画像の注目領域サムネイル画像を同時に見る
ことができるので、所望の画像であるか否かを迅速に判断することができる。
なお、原画像における各注目領域の位置を示す情報（例えば、座標値）をテーブルに格
納しておき、この情報を参照して、注目領域サムネイル画像の位置関係を調整して表示す
るようにすれば、例えば、図１４，１５に示すように、原画像における位置関係を保った
状態で、注目領域サムネイル画像を表示することができる。すなわち、図１４では、全体
像サムネイル画像１０５は３人の人物が横に並んで写った画像となっており、これらの人
物の位置関係に応じて、注目領域サムネイル画像２５０〜２５２が横方向に同じ順序で並
べて表示されている。また、図１５では、全体像サムネイル画像１０６は２人の人物が上
下に写った画像となっており、これらの人物の位置関係に応じて、注目領域サムネイル画
像２７０，２７１が縦方向に同じ順番で並べて表示されている。
このような実施の形態によれば、原画像における注目領域の位置関係に基づいて注目領
域サムネイル画像を同様の配置状態で表示することができるので、注目領域サムネイル画
像と原画像との対応関係を容易に把握することができる。
【００３８】
また、各注目領域の注目度を計算してテーブルに格納するとともに、図１６，１７に示
すように、画面上に標準表示と注目度に基づく表示の切り替えを行うためのボタン３００
，３０１を表示し、選択されたボタンに応じた形態で表示を行うようにしてもよい。具体
的には、図１６に示すように標準表示を選択するボタン３００が選択された場合には、原
画像中における注目領域の位置関係に応じて注目領域サムネイル画像３１０，３１１を横
方向に同じ順序で並べて表示する。また、図１７に示すように、注目度に基づく表示を選
択するボタン３０１が選択された場合には、テーブルに格納されている注目度に応じたサ
イズにより、注目領域サムネイル画像３２０，３２１を表示する。このとき、注目領域サ
ムネイル画像を表示する位置関係は、原画像中の注目領域に応じた位置関係となるように
してもよい。なお、図１７の例では、注目領域サムネイル画像３２１の方が注目領域サム
ネイル画像３２０よりも注目度が高いので、前者の方が後者よりも大きいサイズで表示さ
れている。なお、このような表示を行うためには、図８のステップＳ１４の処理において
、注目領域サムネイル画像を生成する際に、注目度に応じてサムネイル画像のサイズを調
整する。例えば、注目度が高い場合には注目領域サムネイル画像のサイズが大きくなるよ
うにし、注目度が低い場合には注目領域サムネイル画像のサイズが小さくなるようにする
。一例として、注目度を低、中、高の３段階に分け、低の場合には１６０×１２０画素の
サイズとし、中の場合には２４０×１８０画素のサイズとし、高の場合には３２０×２４
０画素のサイズとする。なお、これ以外であってもよい。そして、ボタン３０１が選択さ
れた場合にはこれらの異なるサイズの注目領域サムネイル画像を表示する。また、ボタン
３００が選択された場合にはこれらのサイズを同じになるように調整して表示する。なお
、ボタン３００が選択された場合の同一サイズの注目領域サムネイル画像を別途生成して
おき、これらを用いて表示を行うようにしてもよい。
このような実施の形態によれば、必要に応じて表示形態を選択することが可能になると
ともに、注目度が選択された場合には注目度に応じたサイズで注目領域サムネイル画像を
表示することにより、目的の画像を容易に見つけることが可能になる。
【００３９】
また、以上の実施の形態では、一つの注目領域からは一つの注目領域サムネイル画像を
生成するようにしたが、例えば、図１８に示すように、複数の注目領域を合成して一つの
注目領域サムネイル画像を生成するようにしてもよい。この例では、画像３５０には２人
の人物３５１，３５２が写っており、また、これらの人物３５１，３５２の顔が注目領域
３５３，３５４として選択されている。そして、これらの注目領域３５３，３５４が合成
されて１枚の注目領域サムネイル画像３５５が生成されている。なお、注目領域サムネイ
ル画像３５５は、全体像サムネイル画像と同一のサイズを有しているので、全体像サムネ
イル画像に比べて注目領域３５３，３５４の全体に占める割合を大きくすることができる
。このため、注目領域３５３，３５４の視認性を高めることができる。また、複数の注目
領域サムネイル画像を１枚にまとめることができることから、データ量を削減することが
できる。なお、このような処理を実現するためには、図８のステップＳ１４において、複
数の注目領域から１枚の注目領域サムネイル画像を生成するようにすればよい。なお、注
目領域が多い場合（例えば、４つ以上存在する場合）には、これら全てを１枚の注目領域
サムネイル画像とするのではなく、２枚以上に分割してサムネイル化したり、あるいは、
４つの注目領域についてはサムネイル画像化し、それ以外は無視する（サムネイル化しな
い）ようにしたりしてもよい。
【００４０】
また、単に、同一の割合で合成するのではなく、図１９に示すように、それぞれの注目
領域の注目度に応じたサイズとなるように合成することも可能である。具体的には、図１
９の例では、３人の人物３７１〜３７２が写った画像３７０からそれぞれの人物の顔の領
域が注目領域３７４〜３７６として選択されており、これらの注目領域３７４〜３７６の
それぞれの注目度に応じたサイズとなるように領域が合成され、サムネイル画像３７７が
生成される。なお、この例では、中央の人物３７２の注目度が“２０”で最も高いのでそ
のサイズが最も大きくなっており、それ以外の人物の注目度はともに“１０”で低いこと
から小さいサイズの画像として合成されている。なお、具体的な処理としては、図８のス
テップＳ１４において注目領域サムネイル画像を生成する際に、各注目領域の注目度に応
じてサムネイル画像の領域を分割し、分割された各領域のサイズに応じて注目領域を拡大
・縮小し、得られた画像を１枚のサムネイル画像として合成する。
このような実施の形態によれば、複数の注目領域サムネイル画像を１枚にまとめること
ができるので、データ量を削減することができる。また、各注目領域の注目度に応じたサ
イズにより合成がなされるため、注目度が高い領域はより大きいサイズで見ることができ
るので視認性を高めることができる。この結果、必要な画像を迅速に見つけることができ
る。
【００４１】
また、以上の実施の形態では、検出された注目領域については全て利用するようにした
が、ユーザの嗜好またはユーザの過去の選択行動に基づいて、必要性が低いと推定される
注目領域については注目領域サムネイル画像の生成対象または表示対象から除外するよう
にしてもよい。例えば、図２０に示すように、３人の人物４０１〜４０３が写った画像４
００において、注目領域４０４〜４０６が検出された場合に、これらの領域を注目度解析
モジュール４０７に供給し、例えば、過去にユーザが必要性が低いと判断した注目領域と
類似する領域については注目領域サムネイル画像の生成の対象から除外するようにしても
よい。具体的には、図２０の例では、注目領域４０４と同様の注目領域（不図示）が、例
えば、過去においてユーザによって必要性が低いか、または、削除されているので、注目
領域４０４から作成されるべき注目領域サムネイル画像４０８は生成されない。
より具体的には、例えば、図１３に示す画面において、注目領域サムネイル画像８６が
指定されて不要である旨の操作が行われた場合には、当該注目領域サムネイル画像８６が
有する誘目度を「不要注目領域テーブル」に登録する。そして、図８のステップＳ１２の
処理により検出された注目領域の誘目度と、不要注目領域テーブルに登録されている誘目
度とを比較し、所定の相関関係を有するものが存在する場合には、当該注目領域について
はステップＳ１４においてサムネイル画像を生成しない。
【００４２】
このような処理によれば、必要性が低い注目領域については予め除外されることから、
ユーザの選別の負担を軽減することができる。
なお、「不要注目領域テーブル」に登録された注目領域に類似する注目領域サムネイル
画像については表示の対象から除外するようにしてもよい。すなわち、図１０のステップ
Ｓ３４の処理において、表示対象となる注目領域サムネイル画像が不要注目領域テーブル
に登録されている注目領域と類似している場合には、当該注目領域サムネイル画像につい
ては表示対象から除外するようにしてもよい。
このような処理によっても、表示される注目サムネイル画像の数を減らすことができる
ので、ユーザの負担を軽減できる。
【００４３】
なお、人物の場合には、誘目度ではなく、顔の特徴を示すフェースＩＤ（Identificati
on）を用いて、不要注目領域テーブルに登録されている人物と同一の人物か否かを判定す
ることもできる。すなわち、所定の注目領域サムネイル画像の削除が指示された場合には
、当該注目領域サムネイル画像に含まれる人物の顔からフェースＩＤを生成して不要注目
領域テーブルに登録する。そして、それ以降においては、注目領域サムネイル画像を表示
または作成する際には、当該注目領域サムネイル画像からフェースＩＤを生成し、不要注
目領域テーブルに類似するフェースＩＤが存在する場合には、当該注目領域サムネイル画
像は表示対象またはサムネイル画像の作成対象から除外する。
このような処理によれば、人物が複数含まれる集合写真が多く存在する場合であっても
、目的となる画像を迅速に見つけることができる。
【００４４】
また、以上では、本発明の画像処理装置をプリンタに適用した場合を例に挙げて説明し
たが、本発明は、これ以外にも多くの機器に適用することができる。具体的には、例えば
、ディジタルカメラ、携帯電話機、ＰＤＡ（Personal Digital Assistant）、ゲーム機器
、および、その他小型表示部を有する電子機器に対して本発明を適用することができる。
【００４５】
なお、上記の処理機能は、コンピュータによって実現することができる。その場合、画
像処理装置が有すべき機能の処理内容を記述したプログラムが提供される。そのプログラ
ムをコンピュータで実行することにより、上記処理機能がコンピュータ上で実現される。
処理内容を記述したプログラムは、コンピュータで読み取り可能な記録媒体に記録してお
くことができる。コンピュータで読み取り可能な記録媒体としては、磁気記録装置、光デ
ィスク、光磁気記録媒体、半導体メモリなどがある。磁気記録装置には、ハードディスク
装置（ＨＤＤ）、フレキシブルディスク（ＦＤ）、磁気テープなどがある。光ディスクに
は、ＤＶＤ（Digital Versatile Disk）、ＤＶＤ−ＲＡＭ、ＣＤ−ＲＯＭ（Compact Disk
ROM）、ＣＤ−Ｒ（Recordable）／ＲＷ（ReWritable）などがある。光磁気記録媒体には
、ＭＯ（Magneto-Optical disk）などがある。
【００４６】
プログラムを流通させる場合には、たとえば、そのプログラムが記録されたＤＶＤ、Ｃ
Ｄ−ＲＯＭなどの可搬型記録媒体が販売される。また、プログラムをサーバコンピュータ
の記憶装置に格納しておき、ネットワークを介して、サーバコンピュータから他のコンピ
ュータにそのプログラムを転送することもできる。
【００４７】
プログラムを実行するコンピュータは、たとえば、可搬型記録媒体に記録されたプログ
ラムもしくはサーバコンピュータから転送されたプログラムを、自己の記憶装置に格納す
る。そして、コンピュータは、自己の記憶装置からプログラムを読み取り、プログラムに
従った処理を実行する。なお、コンピュータは、可搬型記録媒体から直接プログラムを読
み取り、そのプログラムに従った処理を実行することもできる。また、コンピュータは、
サーバコンピュータからプログラムが転送される毎に、逐次、受け取ったプログラムに従
った処理を実行することもできる。
【図面の簡単な説明】
【００４８】
【図１】本発明の実施形態に係る画像処理装置のブロック図である。
【図２】プログラムが実行された場合に実現される機能ブロック図である。
【図３】サムネイル画像の作成の態様を示す図である。
【図４】全体像サムネイル画像が一覧表示された画面の表示例である。
【図５】所定の全体像サムネイル画像が選択された場合に表示例である。
【図６】注目領域サムネイル画像の表示例である。
【図７】他の注目領域サムネイル画像の表示例である。
【図８】サムネイル画像を生成する処理を説明するフローチャートである。
【図９】ＲＡＭに格納されているテーブルの一例である。
【図１０】サムネイル画像を一覧表示する処理を説明するフローチャートである。
【図１１】注目度に応じた順序でサムネイル画像を表示する表示例である。
【図１２】注目領域サムネイル画像を一覧表示した表示例である。
【図１３】注目領域サムネイル画像を同時に表示した表示例である。
【図１４】注目領域サムネイル画像を位置関係を保持して表示した表示例である。
【図１５】注目領域サムネイル画像を位置関係を保持して表示した表示例である。
【図１６】標準が選択された場合の注目領域サムネイル画像の表示例である。
【図１７】注目度が選択された場合の注目領域サムネイル画像の表示例である。
【図１８】複数の注目領域から１枚のサムネイル画像を生成する例である。
【図１９】複数の注目領域から１枚のサムネイル画像を生成する例である。
【図２０】必要度が低い注目領域については対象から除外する例である。
【符号の説明】
【００４９】
１０…印刷装置、６２…注目領域検出モジュール（検出手段）、６３…注目領域抽出モ
ジュール（生成手段）、６４…サムネイル画像生成モジュール（生成手段）、６５…中央
制御モジュール（算出手段、判定手段）、６７…表示モジュール（表示手段）。
【図１】
2009055272.tif 000003
【図２】
2009055272.tif 000004
【図３】
2009055272.tif 000005
【図４】
2009055272.tif 000006
【図５】
2009055272.tif 000007
【図６】
2009055272.tif 000008
【図７】
2009055272.tif 000009
【図８】
2009055272.tif 000010
【図９】
2009055272.tif 000011
【図１０】
2009055272.tif 000012
【図１１】
2009055272.tif 000013
【図１２】
2009055272.tif 000014
【図１３】
2009055272.tif 000015
【図１４】
2009055272.tif 000016
【図１５】
2009055272.tif 000017
【図１６】
2009055272.tif 000018
【図１７】
2009055272.tif 000019
【図１８】
2009055272.tif 000020
【図１９】
2009055272.tif 000021
【図２０】
2009055272.tif 000022